(57)【特許請求の範囲】
【請求項１】
垂直方向部分をもつ複数の導入路から入れ込まれる硬貨を前記導入路ごとに設けた転向部分によって転向した後に、両側に案内壁を設けた水平方向の搬送路によって搬送する硬貨搬送装置であって、
前記導入路を前記搬送路に沿った水平方向に向け変えた端末部分と前記転向のための転向面とを対向させて配置するとともに、底面側を開口状態にして箱状に形成した前記転向部分により前記転向を行う転向手段
を具備することを特徴とする硬貨搬送装置。
【請求項２】
垂直方向部分をもつ複数の導入路から入れ込まれる硬貨を前記導入路ごとに設けた転向部分によって転向した後に、両側に案内壁を設けた水平方向の搬送路によって搬送する硬貨搬送装置を設けたパチンコ台島装置であって、
前記導入路を前記搬送路に沿った水平方向に向け変えた端末部分と前記転向のための転向面とを対向させて配置するとともに、底面側を開口状態にして箱状に形成した前記転向部分により前記転向を行う転向手段
を具備することを特徴とするパチンコ台島装置。
【請求項３】
垂直方向部分をもつ複数の導入路から入れ込まれる硬貨を前記導入路ごとに設けた転向部分によって転向した後に、両側に案内壁を設けた水平方向の搬送路によって搬送する硬貨搬送装置を設けたパチンコ台島列装置であって、
前記導入路を前記搬送路に沿った水平方向に向け変えた端末部分と前記転向のための転向面とを対向させて配置するとともに、底面側を開口状態にして箱状に形成した前記転向部分により前記転向を行う転向手段
を具備することを特徴とするパチンコ台島列装置。
【請求項４】
前記搬送路を複数に分割した分割搬送路によって構成するとともに、前記分割搬送路ごとに前記分割搬送路の搬送面を移行する移行機構を設ける分割搬送路手段と、
各前記移行機構を連動するとともに、前記分割搬送路のうちの１つの分割搬送路における前記移行機構のみを駆動モータによって駆動する駆動手段と
を具備することを特徴とする請求項１記載の硬貨搬送装置。
【請求項５】
前記搬送路を複数に分割した分割搬送路によって構成するとともに、前記分割搬送路ごとに前記分割搬送路の搬送面を移行する移行機構を設ける分割搬送路手段と、
各前記移行機構を連動するとともに、前記分割搬送路のうちの１つの分割搬送路における前記移行機構のみを駆動モータによって駆動する駆動手段と
を具備することを特徴とする請求項２記載のパチンコ台島装置。
【請求項６】
前記搬送路をパチンコ台島装置ごとに分割した分割搬送路によって構成するとともに、前記分割搬送路ごとに前記分割搬送路の搬送面を移行する移行機構を設ける分割搬送路手段と、
各前記移行機構を連動するとともに、前記分割搬送路のうちの１つの分割搬送路における前記移行機構のみを駆動モータによって駆動する駆動手段と
を具備することを特徴とする請求項３記載のパチンコ台島列装置。
【発明の詳細な説明】
【０００１】
【発明の属する技術分野】
この発明は、硬貨を水平方向の搬送路によって搬送する硬貨搬送装置ならびにその利用装置、例えば、パチンコ台島装置とパチンコ台島列装置とに関するものである。
【０００２】
【従来の技術】
こうした硬貨搬送装置として、一種の小型のベルトコンベヤを用いた水平方向の搬送路によって、硬貨を目的の箇所、例えば、収納箱に搬送する硬貨搬送装置が知られており、図１２・図１３の構成から転向部分６０を除いたような硬貨搬送装置２００の構成（以下、第１従来技術という）が特開平６−２１８１３４号公報と、本願出願人の出願にもとづく特開平９−９４３４３号公報・特開平９−１３４４６６号公報などにより開示されている。なお、図１２〜図１５において、同一の符号で示す部分は、図１２〜図１５のいずれかにおいて説明する同一符号の部分と同一の機能をもつ部分である。
【０００３】
図１２において、硬貨搬送装置２００は、搬送路２０に入れ込まれた硬貨１０を目的の箇所、例えば、搬送路２０の終端に設けた収納箱５０に入れ込むように動作するものである。そして、搬送路２０は、図１３のように、無端状のベルト１２を掛け渡した両端のベルト車、すなわち、プーリ１１Ａ・１１Ｂを駆動モータ３０、例えば、減速歯車機構３０Ａ付きの誘導電動機によって回転することにより、ベルト１２の上に入れ込まれた硬貨１０を水平方向に搬送している。
【０００４】
さらに、搬送する硬貨１０がベルト１２から外側に落ちないように案内する両側の案内壁１３Ａ・１３Ｂと、ベルト１２が垂れ下がらないようにベルト１２の裏面を案内する案内面１３Ｃとを設けた案内体１３をベルト車１１Ａ・１１Ｂの間に配置するとともに、これらのうちの各不動機構部分を適宜の固定部分、例えば、後記のパチンコ台島装置５００では、パチンコ台島装置５００の内部の壁部などに固定した構成になっている。
【０００５】
また、こうした硬貨搬送装置２００を利用する装置として、図１２の〔片端収納構成〕のようなパチンコ台島装置５００の構成（以下、第２従来技術という）が上記の特開平６−２１８１３４号公報などにより開示されており、また、図１２の〔中央収納構成〕のようなパチンコ台島装置５００の構成（以下、第３従来技術という）が上記の特開平９−９４３４３号公報などにより開示されている。
【０００６】
なお、ここで、パチンコ遊技機またはパチンコ遊技機に跳ね返しゲート機能やスロットマシン機能を設けたパチンコ・スロット遊技機などの遊技機（この発明では、これらの遊技機を総称して、パチンコ台という）１００を複数配置して１つのブロック状に構成したものをパチンコ台島装置５００と言い、このパチンコ台島装置５００は、パチンコ店の内部において、あたかも複数の「島」を配置したように見えるので、通称を「島」とも呼ばれている。
【０００７】
図１２の〔片端収納構成〕〔中央収納構成〕において、パチンコ台島装置５００Ａは、多数のパチンコ台１００を片側並べ、または、両側並べにして配置するとともに、硬貨搬送装置２００を、片側並べのものでは各パチンコ台１００の裏側に、また、両側並べのものでは前後のパチンコ台１００の裏側に当たる真ん中に配置して構成してあり、各パチンコ台１００の脇、例えば、左脇に設けた硬貨入口２１から入れ込まれた硬貨１０を、導入路２２を経て搬送路２０に入れ込み、搬送路２０によって矢印のように、水平方向に搬送して収納箱５０に入れ込む構成になっている。
【０００８】
そして、図１２の〔中央収納構成〕のものは、図１２の〔片端収納構成〕の左側に、図１２の〔片端収納構成〕における硬貨搬送装置２００の搬送方向に対して、反対方向に硬貨１０を搬送する硬貨搬送装置２００を設けたパチンコ台島装置５００を配置した構成になっている。なお、収納箱５０は、図１２の〔片端収納構成〕のように、単なる収納箱を設ける場合と、図１２の〔中央収納構成〕のように、上方に両替機（図示せず）などを設けるなどの複雑な構成を設ける場合とがある。
【０００９】
また、図１３の第１従来技術による硬貨搬送装置２００の構成では、硬貨１０が導入路２２から搬送路２０に垂直方向から落とすように入れ込まれるので、つまり、図１３のように、ベルト１２が水平方向に移行しているのに対して、硬貨１０が垂直方向から落下させるように入れ込まれるので、硬貨１０の面が水平方向に向かずに、例えば、硬貨１０Ａのように、面がほぼ垂直方向に向いたまま案内壁１３Ａまたは案内壁１３Ｂに立て掛けられた状態になり、硬貨１０の搬送が遅滞して重なり合うなどによって、収納箱５０の入口で詰まった状態になり硬貨搬送装置２００を過負荷停止させてしまうような事故を招くほか、落下させた硬貨１０が搬送路２０の搬送面２５、すなわち、ベルト１２の表面に当たって跳ね返り、硬貨１０Ｂのように搬送路２０の外側に飛び出してしまうために、回収不能になる事故を招くという不都合がある。
【００１０】
こうした不都合を解消するための構成として、図１４のような硬貨搬送装置２００の構成（以下、第４従来技術という）が上記の特開平９−１３４４６６によって開示されている。図１４において、転向部分６０は、硬貨１０の方向を水平方向に転向させるためのもので、その転向を行うための転向面６５に相当する傾斜面６１Ａを設けた板状体６１を、搬送面２５、すなわち、ベルト１２の表面の直上に設けて構成したものである。
【００１１】
そして、図１４のように、垂直方向から落下させた硬貨１０が傾斜面６１Ａ、すなわち、転向面６５で傾斜方向に転向させられた後に、搬送路２０の搬送面２５、すなわち、ベルト１２の表面に引きずられて水平方向に転向させられるように動作するものであり、こうした転向部分６０をパチンコ台島装置５００に配置すると図１２のような構成になる。
【００１２】
一方、パチンコ台１００で遊技に使用する遊技球（図示せず）を研磨するための研磨装置（図示せず）の簡便小型化が可能になったなどの理由で、パチンコ台島装置５００に配置するパチンコ台１００の数を４〜１０台程度に少なくして小型のユニット化した図１５のようなパチンコ台島装置５００Ａの構成（以下、第５従来技術という）が、本願出願人の出願による特願平９−８１５８２・特願平９−２８２０９１によって開示されている。
【００１３】
図１５において、パチンコ台島装置５００Ａには、パチンコ台１００が手前側と後側とに各２台ずつ設けてあり、また、各パチンコ台１００の左脇に配置した遊技球を購入するための金銭を扱う金銭機構部分１０１に、複数種類の硬貨１０を入れ込むための硬貨入口２１を設けてある。そして、硬貨入口２１の奥側に設けた硬貨判別装置２１Ａによって、入れ込まれた硬貨１０が正規の硬貨か否かの判別を行い、正規の硬貨１０は導入路２２を経て搬送路２０に入れ込まれ、正規の硬貨でないものは、別の経路（図示せず）を経て、戻出口、例えば、金銭機構部分１０１の下方に設けた戻出口２１Ｂに戻し出すようになっている。
【００１４】
また、図１５のようなユニット化したパチンコ台島装置５００Ａを用いて、図１２のように多数のパチンコ台１００を設けたパチンコ台島装置５００のように構成するには、図１５に鎖線で示すように、複数台のパチンコ台島装置５００Ａを直列に並べて配置した構成（この発明において、パチンコ台島列装置という）１０００に作り上げている。
【００１５】
しかし、硬貨搬送装置２００は、パチンコ台島列装置１０００全体にわたる搬送路２０をもつ構成でなければならないので、各パチンコ台島装置５００Ａの外側面５０１に硬貨搬送装置２００用の穴５０２を設けておき、所要数のパチンコ台島装置５００Ａを直列に並べて配置した後に、例えば、パチンコ台１００を取り外した状態、または、パチンコ台１００の片脇に蝶番（図示せず）を設けて手前側に引き開いた状態で、鎖線で示すように、全部のパチンコ台島装置５００Ａの穴５０２を貫通させた硬貨搬送装置２００を設置することにより、パチンコ台島列装置１０００として完成させている。
【００１６】
【発明が解決しようとする課題】
上記の第４従来技術の構成によれば、一応は、硬貨１０の面を水平方向に転向し得るが、硬貨１０を垂直方向から傾斜面６１Ａ、すなわち、転向面６５に向けて落下させているので、垂直方向での落差が大きくなると落下の余勢を転向面６５で吸収し得なくなり、転向面６５での反発力によって、硬貨１０Ｂのように、搬送路２０の外側に飛び出して回収不能になったり、硬貨１０が図１４の硬貨１０Ｃのように、案内壁１３Ａまたは案内壁Ｂに立て掛けられた状態になって、搬送側に配置された転向部分６０の背面側に重なり合うように入り込んで詰まり、硬貨搬送装置２００を過負荷状態にして停止させるという事故を起こすほか、パチンコ台島装置５００・パチンコ台島列装置１０００の場合には、この事故によって、全体のパチンコ台１００の稼働が不能になるという不都合がある。
【００１７】
また、上記の第５従来技術の構成によれば、各ユニット化したパチンコ台島装置５００Ａを所要台数だけ直列に並べて配置するのみの簡単な作業で、所要数のパチンコ台１００を設けたパチンコ台島列装置１０００として完成し得るという利点があるが、パチンコ台島列装置１０００全体にわたる硬貨搬送装置２００を設置する際に、従来と同様の大掛かりな作業を行わなければならないという不都合があり、この不都合を解消するには、各パチンコ台島装置５００Ａごとに駆動モータ３０を設けた硬貨搬送装置２００を配置するようにした構成が考えられるが、こうした構成では、駆動モータ３０とその駆動制御部分がパチンコ台島装置５００Ａの数だけ必要になるので、必然的に、構成が複雑になり装置が高価にならざるを得ないという不都合が生ずる。
このため、こうした不都合のない硬貨搬送装置ならびにその利用装置、例えば、パチンコ台島装置・パチンコ台島列装置の提供が望まれているという課題がある。
【００１８】
【課題を解決するための手段】
この発明は、上記のような
垂直方向部分をもつ複数の導入路から入れ込まれる硬貨をその導入路ごとに設けた転向部分によって転向した後に、両側に案内壁を設けた水平方向の搬送路によって搬送する硬貨搬送装置において、
上記の導入路を上記の搬送路に沿った水平方向に向け変えた端末部分と上記の転向のための転向面とを対向させて配置するとともに、底面側を開口状態にして箱状に形成した上記の転向部分により上記の転向を行う転向手段
を設ける第１の構成と、
【００１９】
この第１の構成における硬貨搬送装置と同様の硬貨搬送装置を設けたパチンコ台島装置において、上記の第１の構成における転向手段を設ける第２の構成と、この第１の構成における硬貨搬送装置と同様の硬貨搬送装置を設けたパチンコ台島列装置において、上記の第１の構成における転向手段を設ける第３の構成と、
【００２０】
上記の第１の構成の硬貨搬送装置において、
上記の搬送路を複数に分割した分割搬送路によって構成するとともに、上記の分割搬送路ごとに上記の分割搬送路の搬送面を移行する移行機構を設ける分割搬送路手段と、
各上記の移行機構を連動するとともに、上記の分割搬送路のうちの１つの分割搬送路における上記の移行機構のみを駆動モータによって駆動する駆動手段と
を設ける第４の構成と、
【００２１】
上記の第２の構成のパチンコ台島装置において、上記の第４の構成における分割搬送路手段・駆動手段を設けた第５の構成と、
上記の第３の構成のパチンコ台島列装置において、
上記の搬送路をパチンコ台島装置ごとに分割した分割搬送路によって構成するとともに、上記の分割搬送路ごとに上記の分割搬送路の搬送面を移行する移行機構を設ける分割搬送路手段と、
各上記の移行機構を連動するとともに、上記の分割搬送路のうちの１つの分割搬送路における上記の移行機構のみを駆動モータによって駆動する駆動手段と
を設ける第６の構成とにより上記の課題を解決したものである。
【００２２】
【発明の実施の形態】
この発明の実施の形態として、この発明を上記の第１従来技術〜第５従来技術とに適用した実施例を説明する。
【００２３】
【実施例】
以下、図１〜図１１により実施例を説明する。図１〜図１１において、図１２〜図１５と同一符号で示す部分は、図１２〜図１５において説明した同一符号の部分と同一の機能をもつ部分であり、また、図１〜図１１において同一符号で示す部分は、図１〜図１１のいずれかにおいて説明する同一符号の部分と同一の機能をもつ部分である。
【００２４】
なお、この発明において、水平方向とは、真の水平方向から上下に２０°程度の傾斜、すなわち、±２０°程度の傾斜をもつ範囲までの方向を含む方向を言い、また、垂直方向とは、真の垂直方向から左右に２０°程度の傾斜、すなわち、±２０°程度の傾斜をもつ範囲までの方向を含む方向を言うものである。
【００２５】
〔第１実施例〕
以下、図１・図２・図１４により第１実施例を説明する。図１の構成は図１４の構成における転向部分６０とその付近の要部を変更した箇所のみを画いたものであり、この第１実施例の構成が、図１４の第４従来技術の構成と異なる主な箇所は、転向部分６０の構成を、導入路２２を搬送路２０に沿った水平方向に向け変えた端末部分２２Ａと転向面６５とを対向させて配置するように構成した箇所である。
【００２６】
そして、概括的には、図１２・図１４の構成における硬貨搬送装置２００の部分のように、垂直方向部分２２Ｂをもつ複数の導入路２２から入れ込まれる硬貨１０の面をその導入路２２ごとに設けた転向部分６０によって転向した後に、両側に案内壁１３Ａ・１３Ｂを設けた水平方向の搬送路２０によって搬送する硬貨搬送装置２００において、図１の構成のように、上記の導入路２２を上記の搬送路２０に沿った水平方向に向け変えた端末部分２２Ａと上記の転向のための転向面６５とを対向させて配置するとともに、底面６２Ｅ側を開口状態にして箱状、例えば、上面６２Ｄと各側面、すなわち、正面６２Ａ・背面６２Ｂ・側面６２Ｃとを覆って梯形の箱状に形成した上記の転向部分６０により上記の転向を行う転向手段を設けた上記の第１の構成を構成しているものである。
【００２７】
つまり、具体的には、図１において、導入路２２は、〔密着コイル状導入路〕のように、例えば、直径が２ｍｍ程度の鋼線２２ａを線間が密着したコイル状に巻いて、内部に断面が細長い矩形状の通路２２ｂを形成した密着コイル状体であって、矩形状の通路２２ｂを、短径Ｄ２が最も大きい硬貨１０の厚みの３倍程度、例えば、６ｍｍ程度にし、長径Ｄ１が最も大きい硬貨１０の直径の１．２倍程度、例えば、３２ｍｍ程度にして形成したものであり、通路２２ｂ内に硬貨１０を通して、転向部分６０に導いている。
【００２８】
したがって、図１の〔垂直姿勢導出構成〕のように、長径Ｄ２の面を垂直方向から水平方向になるよううに曲げた場合には、曲率半径を小さくしても硬貨１０が余裕をもって通過でき、図１の〔水平姿勢導出構成〕のように、短径Ｄ１の面を垂直方向から水平方向になるように曲げた場合には、曲率半径をかなり大きくして曲げないと硬貨１０が通過できないが、それを考慮して曲げれば、垂直方向から水平方向に曲げたり、導入路２２を捩るように曲げたりしても、硬貨１０を所要の方向に導くことができる。
【００２９】
また、転向部分６０は、底面６２Ｅ側を開口状態にして、転向面６５と他の面、すなわち、正面６２Ａ・背面６２Ｂ・側面６２Ｃ・上面６２Ｄとを覆った梯形の箱状体６２に、例えば、アルミニウム板材を用いて形成してあり、転向面６５と対向する側面６２Ｃから硬貨１０を入れ込むように構成してある。なお、転向面６５と他の面との間の角度が鋭角になる部分には、鋭角の先端部分に、最も大きい硬貨１０の厚みよりも広い幅、例えば、その硬貨１０の厚みの２〜３倍程度幅の面６２Ｆを設けて、硬貨１０が挟み込まれないようにしてある。
【００３０】
そして、図１の〔水平姿勢導出構成〕では、導入路２２は、短径Ｄ１側を曲げることによって、垂直方向部分２２Ｂから水平方向に向きを変えた端末部分２２Ａを形成しておき、上方から導いた硬貨１０の面を水平状態にした姿勢で端末部分２２Ａから送出する。送出された硬貨１０は、端末部分２２Ａと対向させて配置した転向面６５に突き当って転向させられ、下方に配置した搬送面２５の上に落ちるように構成してある。
【００３１】
したがって、導入路２２で導かれた硬貨１０は、上面からの落下速度をもっているが、転向面６５に突き当てられることによって、減速された後に搬送面２５に落ちるので、搬送面２５に落ちる際には余勢が失われているために、搬送面２５の上で静かに倒れて、硬貨１０の面が搬送面２５の上に横たわるように動作することになる。
【００３２】
また、図１の〔垂直姿勢導出構成〕では、導入路２２は、長径Ｄ２側を曲げることによって、垂直方向部分２２Ｂから水平方向に向きを変えた端末部分２２Ａを形成しておき、上方から導いた硬貨１０の面を垂直状態にした姿勢で端末部分２２Ａから送出する。送出された硬貨１０は、端末部分２２Ａと対向させて配置した転向面６５に突き当って転向させられ、下方に配置した搬送面２５の上に落ちるように構成してある。
【００３３】
したがって、〔垂直姿勢導出構成〕の場合も、上記の〔水平姿勢導出構成〕の場合と同様に、導入路２２で導かれた硬貨１０は転向面６５で減速された後に搬送面２５に落ちるので、搬送面２５の上で静かに倒れて、硬貨１０の面が搬送面２５の上に横たわるように動作することになる。
【００３４】
なお、搬送面２５の移行方向は、図１の〔垂直姿勢導出構成〕〔水平姿勢導出構成〕のいずれの場合も、図の右方向または左方向のいずれであってもよい、つまり、硬貨１０が端末部分２２Ａから送出される方向と同一方向であってもよく、また、それと反対方向であってもよい。さらに、搬送面２５と転向部分６０の底面６２Ｅ側との間の距離Ｈ１、例えば、最も大きい硬貨１０の厚みの例えば、５倍程度よりも大きくして搬送面２５の上で硬貨１０が重なり合った場合にも転向部分６５の下をくぐり抜けて通過し得るようにするとともに、転向部分６０の脇の方に硬貨１０が飛び出さないように、距離Ｈ１を案内壁１３Ａ・１３Ｂの高さＨ２よりも小さい寸法、例えば、高さＨ２の８０％程度の寸法にしておくとともに、箱状体６２の前後間の幅Ｂ１の寸法が最も大きい硬貨１０の外径の２〜３倍程度であって、その幅Ｂ１が前後の案内壁１３Ａ・１３Ｂ間の幅Ｂ２の１／２〜１／３程度にして構成することが好ましい。
【００３５】
また、転向面６５の傾斜方向は、種々の傾斜方向のものが利用でき、図１の〔下向傾斜構成〕のように、硬貨１０の送出方向に対して、下向きの傾斜もつ転向面６５と、図１の〔前向傾斜構成〕のように、硬貨１０の送出方向に対して、前向きの傾斜をもつ転向面６５と、図２の〔上向傾斜構成〕のように、硬貨１０の送出方向に対して、上向きの傾斜をもつ転向面６５と、図２の〔後向傾斜構成〕のように、硬貨１０の送出方向に対して、後ろ向きの傾斜をもつ転向面６５と、図２の〔斜上向傾斜構成〕のように、硬貨１０の送出方向に対して、斜め上向きの傾斜をもつ転向面６５と、図２の〔斜下向傾斜構成〕のように、硬貨１０の送出方向に対して、斜め下向きの傾斜をもつ転向面６５などが考えられ、それぞれの図における端末部分２２Ａの配置する側面６２Ｃの部分に画いた導入路２２の端末部分２２Ａの矩形の長径方向が硬貨１０の面に対応するように配置する場合に適用するのが好ましいと考えられる。
【００３６】
しかし、硬貨１０が送出される速度によっては、矩形の長径方向が縦方向のものを矩形の長径が横方向のものに用いたり、逆に、矩形の長径方向が横方向のものを矩形の長径が縦方向のものに用いたりする方が、良好な転向を行い得る場合もあるので、実際の導入路２２の配置状態によって実験的に定める方がよい。なお、転向面６５は、傾斜面に限られるものではなく、単なる垂直面であってもよく、例えば、図１の〔水平姿勢導出構成〕の場合であって、硬貨１０の送出速度が遅い場合には、垂直面の方がよい。
【００３７】
さらに、図２の〔箱内配置構成〕における〔下向傾斜構成〕〔前向傾斜構成〕〔上向傾斜構成〕〔後向傾斜構成〕〔斜上向傾斜構成〕〔斜下向傾斜構成〕の各構成のように、底面６２Ｅ側を開口状態にした四角な箱の中に各転向面６５を配置して構成することもできる。
【００３８】
そして、上記の第１の構成によれば、導入路２２を垂直方向部分２２Ｂから水平方向に向きを代えた端末部分２２Ａから硬貨１０を送出して、転向面６５に突き当てることにより、硬貨１０の速度を減速することを転向部分６５で行わせているので、硬貨１０が搬送路２０の案内壁１３Ａ・１３Ｂに立て掛ける状態になって搬送路２０を詰まらせたり、硬貨１０が搬送路２０から外に飛び出して回収不能になったりする事故を解消した硬貨搬送装置２００を提供することができる。
【００３９】
〔第２実施例〕
以下、図１・図２・図４・図９・図１４・図１５により第２実施例を説明する。この第２実施例の構成が、上記の第１実施例の構成と異なる箇所は、図１・図２・図１４によって説明した第１実施例の構成を、例えば、図１２の第１従来技術・第２従来技術のような構成によるパチンコ台島装置５００に設けて構成した箇所である。
【００４０】
つまり、具体的には、図１２のようなパチンコ台島装置５００に設けた硬貨搬送装置２００の部分に代えて、上記の図１・図２・図１４によって説明した第１実施例による硬貨搬送装置２００の構成を設けたものであって、例えば、図１２の〔片端収納構成〕における硬貨搬送装置２００に代えて、上記の第１実施例による硬貨搬送装置２００の構成を設けたパチンコ台島装置５００の場合の構成は、図４の〔単一搬送路構成〕のパチンコ台島装置５００ように構成されることになる。つまり、各転向部分６０の箇所を、導入路２２を垂直方向から水平方向に向きを変えた箇所に転向部分６０を設けて構成することなるものである。
【００４１】
なお、図４の〔単一搬送路構成〕のパチンコ台島装置５００の構成を、図１２の〔中央収納構成〕のパチンコ台島装置５００の構成に適用することによって、上記の第１実施例による硬貨搬送装置２００を設けた〔中央収納構成〕のパチンコ台島装置５００を構成し得ることは言うまでもない。
【００４２】
したがって、この第２実施例の構成は、上記の第１実施例のような上記の第１の構成における硬貨搬送装置２００と同様の硬貨搬送装置２００を設けたパチンコ台島装置５００において、上記の第１の構成における転向手段と同様の転向手段を設けた上記の第２の構成を構成していることになるものである。
【００４３】
そして、上記の第２の構成によれば、上記の第１の構成と同様に、硬貨１０が搬送路２０の案内壁１３Ａ・１３Ｂに立て掛ける状態になって搬送路２０を詰まらせたり、硬貨１０が搬送路２０から外に飛び出して回収不能になったりする事故を解消した硬貨搬送装置２００を設けたパチンコ台島装置５００を提供することができる。
【００４４】
〔第３実施例〕
以下、図１・図２・図３・図４・図１４・図１５により第３実施例を説明する。この第３実施例の構成が、上記の第１実施例の構成と異なる箇所は、図１・図２・図１４によって説明した第１実施例による硬貨搬送装置２００の構成を、図１５の第５従来技術のような構成によるパチンコ台島列装置１０００に設けて構成した箇所である。
【００４５】
つまり、複数の図１５のようなユニット型のパチンコ台島装置５００Ａを直列に並べて配置して構成した図１５・図３・図４のようなパチンコ台島列装置１０００に設けた硬貨搬送装置２００の部分に、上記の図１・図２・図１４により説明した第１実施例による硬貨搬送装置２００の構成を設けたものである。
【００４６】
したがって、この第３実施例の構成は、上記の第１実施例のような上記の第１の構成における硬貨搬送装置２００と同様の硬貨搬送装置２００を設けたパチンコ台島列装置１０００において、上記の第１の構成における転向手段と同様の転向手段を設けた上記の第３の構成を構成していることになるものである。
【００４７】
そして、上記の第３の構成によれば、上記の第１の構成と同様に、硬貨１０が搬送路２０の案内壁１３Ａ・１３Ｂに立て掛ける状態になって搬送路２０を詰まらせたり、硬貨１０が搬送路２０から外に飛び出して回収不能になったりする事故を解消した硬貨搬送装置２００を設けたパチンコ台島列装置１０００を提供することができる。
【００４８】
〔第４実施例〕
以下、図３〜図７・図１４により第４実施例を説明する。なお、この第４実施例は、図５・図６における硬貨搬送装置２００の構成部分のみを言うものである。つまり、図５・図６に鎖線で示したパチンコ台島装置５００Ａ・パチンコ台島列装置１０００の部分がなく、〔内限型構成〕〔突出型構成〕という区別をもたない構成を言うものである。そして、この第４実施例の構成が、上記の第１従来技術〜第４従来技術における硬貨搬送装置２００の構成と異なる箇所は、図５・図６の構成のように、第１には、搬送路２０を複数に分割した分割搬送路２０Ａによって構成するとともに、分割搬送路２０Ａごとに分割搬送路２０Ａの搬送面２５を移行する移行機構、例えば、プーリ１１Ａ・１１Ｂを設けた箇所であり、第２には、各移行機構１１Ａ・１１Ｂを、例えば、プーリ２３Ａ・２３Ｂとベルト２３Ｃによる伝動機構によって、連動するとともに、分割搬送路２０Ａのうちの１つの分割搬送路２０Ａ、例えば、搬送路２０の始端部分に配置した分割搬送路２０Ａにおける移行機構１１Ａ・１１Ｂのみを上記の駆動モータによって駆動するように構成した箇所である。
【００４９】
そして、概括的には、図５・図６の構成のように、複数の導入路２２から入れ込まれる硬貨１０を搬送路２０によって搬送するとともに、この搬送路２０の搬送面２５の移行を駆動モータ３０によって駆動する硬貨搬送装置２００において、上記の搬送路２０を複数に分割した分割搬送路２０Ａによって構成するとともに、上記の分割搬送路２０Ａごとに上記の分割搬送路２０Ａの搬送面２５を移行する移行機構１１、例えば、プーリ１１Ａ・１１Ｂを設ける分割搬送路手段と、各上記の移行機構１１を、例えば、連動機構２３によって連動するとともに、上記の分割搬送路２０Ａのうちの１つの分割搬送路２０Ａ、例えば、搬送路２０の始端部分に配置した分割搬送路２０Ａにおける上記の移行機構１１のみを上記の駆動モータ３０、例えば、減速機構付きの誘導電動機によって駆動する駆動手段とを設けた第１の参考構成を構成していることになるものである。
【００５０】
つまり、具体的には、図５・図６のように、搬送路２０を複数の分割搬送路２０Ａに分割してあって、各分割搬送路２０Ａの搬送面２５は、プーリ１１Ａ・１１Ｂによる移行機構１１によって搬送方向に移行するように構成してある。また、プーリ１１Ａ・１１Ｂの各軸を延長した各軸１１ａ・１１ｂにプーリ２３Ａ・２３Ｂを設けるとともに、プーリ２３Ａ・２３Ｂにベルト２３Ｃを掛け渡した伝動構成による連動機構２３によって、移行機構１１、すなわち、プーリ１１Ａ・１１Ｂを連動するとともに、分割搬送路２０Ａのうちの１つの分割搬送路２０Ａ、例えば、搬送路２０の始端部分に配置した分割搬送路２０Ａの移行機構１１のみを、例えば、図５・図６の最右端のプーリ１１Ａを駆動モータ３０、例えば、歯車減速機構３０Ａ付きの誘導電動機によって駆動することにより、１つの駆動モータ３０によって全部の分割搬送路２０Ａの搬送面２５を連動して移行し得るように構成したものである
【００５１】
なお、各分割搬送路２０Ａの間における継目の部分で、硬貨１０が下方に落下しないようにするとともに、各分割搬送路２０Ａの間における硬貨１０の搬送を容易にするために、各分割搬送路２０Ａを搬送方向に対して上り坂の傾斜、例えば、各プーリ１１Ａ・１１Ｂを上下に重ねた場合に、それぞれに掛けられた各ベルト１２の間に少量の隙間、例えば、３ｍｍ程度の隙間が生ずる程度の傾斜を設けて配置するとともに、各分割搬送路２０Ａの各継目の箇所に、各分割搬送路２０Ａの搬送方向に対して下り坂の傾斜、例えば、３０°〜６０°程度の傾斜をもって各分割搬送路２０Ａの幅と同一程度の幅をもたせた滑り台状の補助路２４を設けて構成してある。
【００５２】
また、補助路２４は、図５・図６の各〔補助路／分解〕のように、例えば、プーリ１１Ａの軸１１ａを保持する軸受板１１ａ１・１１ａ２に取り付けるための張出部分２４ａ・２４ｂを設けておき、適宜の固定具、例えば、ねじ止めにより取付固定するように構成してある。したがって、硬貨１０は、各分割搬送路２０Ａの部分では上り坂を上がるように搬送された後に、補助路２４の部分で次の分割搬送路２０Ａの搬送面２５の上に滑り落とされるように搬送される。
【００５３】
そして、図５の構成では、プーリ１１Ａとプーリ１１Ｂの部分が上下に重なり合わないようにしてあり、図６の構成では、プーリ１１Ａとプーリ１１Ｂの部分が上下に重なり合うようにしてあるため、図５の構成では、補助路２４の傾斜が多少緩やかになるが、図６の構成では、補助路２４の傾斜を急な傾斜にして構成することができる。
【００５４】
そして、上記の第１の参考構成によれば、搬送路２０を複数に分割した分割搬送路２０Ａにして構成してあるので、長い搬送路２０による硬貨搬送装置２００を、現地で組み立てる場合にも、ユニット化した分割搬送路２０Ａを輸送して、組み立てる際に連動機構２３を取り付けるだけの簡便な作業で長い搬送路２０を構成することができるほか、複数の分割搬送路２０Ａを１つの分割搬送路２０Ａに設けた駆動モータ３０で駆動しているため、駆動モータ３０に付随する取付構成や制御構成を１つ設けるだけで済ませることができるので、硬貨搬送装置２００を簡便安価な構成にして提供することができる。
【００５５】
〔第５実施例〕
以下、図３〜図１２により第５実施例を説明する。この第５実施例の構成が、上記の第４実施例の構成と異なる箇所は、図５・図６によって説明した第４実施例の構成を、図１２の第１従来技術・第２従来技術によるパチンコ台島装置５００に設けて構成した箇所である。
【００５６】
つまり、具体的には、図１２のような各パチンコ台島装置５００に設けた硬貨搬送装置２００の部分に代えて、上記の図５・図６によって説明した第４実施例による硬貨搬送装置２００の構成を設けたものであって、例えば、図４の〔単一搬送路構成〕における硬貨搬送装置２００に代えて、上記の第４実施例による硬貨搬送装置２００の構成を設けたパチンコ台島装置５００の場合の構成は、図４の〔分割搬送路構成〕のパチンコ台島装置５００ように構成されることになるものである。
【００５７】
なお、図４の〔分割搬送路構成〕のパチンコ台島装置５００の構成を、図１２の〔中央収納構成〕のパチンコ台島装置５００の構成に適用することによって、上記の第４実施例による硬貨搬送装置２００を設けた〔中央収納構成〕のパチンコ台島装置５００を構成し得ることは言うまでもない。
【００５８】
したがって、この第５実施例の構成は、上記の第１の参考構成における硬貨搬送装置２００と同様の硬貨搬送装置２００を設けたパチンコ台島列装置５００において、上記の第１の参考構成における分割搬送路手段・駆動手段を設ける第２の参考構成を構成していることになるものである。
【００５９】
そして、上記の第２の参考構成によれば、上記の第１の参考構成の場合と同様に、長い搬送路２０による硬貨搬送装置２００を、現地で簡便な作業で組み立てることができるほか、駆動モータ３０に付随する取付構成や制御構成を１つ設けるだけで済ませられる簡便安価な硬貨搬送装置２００を提供することができる。
【００６０】
〔第６実施例〕
以下、図３〜図６・図１５により第６実施例を説明する。なお、この第６実施例は、図５・図６において、鎖線で示したパチンコ台島装置５００Ａ・パチンコ台島列装置１０００に、硬貨搬送装置２００を設けた構成を言うものであって、図５の構成が〔内限型構成〕であり、図６の構成が〔突出型構成〕になっているものである。そして、この第６実施例の構成が、上記の第４実施例の構成と異なる箇所は、図５・図６によって説明した第４実施例による硬貨搬送装置２００の構成を、図１５の第５従来技術の構成によるパチンコ台島装置５００Ａを複数台直列に配置したパチンコ台島列装置１０００に設けて構成した箇所である。
【００６１】
そして、概括的には、図５・図６の第４実施例によって説明した上記の第１の参考構成における硬貨搬送装置２００と同様の硬貨搬送装置２００を設けたパチンコ台島列装置１０００において、上記の搬送路２０をパチンコ台島装置５００Ａごとに分割した分割搬送路２０Ａによって構成するとともに、上記の分割搬送路２０Ａごとに上記の分割搬送路２０Ａの搬送面２５を移行する移行機構１１、すなわち、プーリ１１Ａ・１１Ｂを設ける分割搬送路手段と、各上記の移行機構１１を、例えば、連動機構２３によって連動するとともに、上記の分割搬送路２０Ａのうちの１つの分割搬送路２０Ａ、例えば、搬送路２０の始端部分に配置した分割搬送路２０Ａにおける上記の移行機構１１のみを上記の駆動モータ３０、例えば、減速歯車付きの誘導電動機によって駆動する駆動手段とを設けた第３の参考構成を構成していることになるものである。
【００６２】
つまり、具体的には、図１５に鎖線で示した構成と同様に、複数のパチンコ台島装置５００Ａを直列に並べて配置した図３のようなパチンコ台島列装置１０００に設けた硬貨搬送装置２００の部分を、上記の図５・図６によって説明した第４実施例による硬貨搬送装置２００のような構成にしたものである。そして、分割搬送路２０Ａの構成の仕方に、図３の〔内限型構成〕と図５の構成とのように、各分割搬送路２０Ａの配置を各パチンコ台島装置５００Ａの外周よりも内側、すなわち、両側の側面よりも内側になるように寸法づけて配置する構成の場合と、図３の〔突出型構成〕と図６の構成とのように、各分割搬送路２０Ａの配置を、各分割搬送路２０Ａの一端側、例えば、終端側、すなわち、図３の〔突出型構成〕では左端側、図６の構成では右端側を、各パチンコ台島装置５００Ａの外周よりも外側、すなわち、両側の外側から、例えば、５〜１０ｃｍ程度だけ突出させた突出部分２０Ｘを設けて配置するとともに、他端側、例えば、始端側を隣接するパチンコ台島装置５００の突出部分２０Ｘが入り込ませて、各分割搬送路２０Ａの移行機構１１が連動できるように配置する構成の場合とがあり、いずれの場合も、図５・図６のように、連動機構２３によって連動できるようにしている。
【００６３】
そして、上記の第３の参考構成によれば、各分割搬送路２０Ａをユニット化した各パチンコ台島装置５００Ａに取付固定した状態で現地に輸送することができるとともに、現地で各パチンコ台島装置５００Ａを並べた後に、連動機構２３と補助路２４とを組み付けるだけの簡便な作業で、長い搬送路２０による硬貨搬送装置２００を組み立てることができるほか、駆動モータ３０に付随する取付構成や制御構成を１つ設けるだけで済ませられる簡便安価な硬貨搬送装置２００を設けたパチンコ台島列装置１０００を提供することができる。
【００６４】
〔第７実施例〕
以下、図１〜図６・図１４により第７実施例を説明する。この第７実施例の構成は、上記の第１の構成における硬貨搬送装置２００の機能と、上記の第１の参考構成における硬貨搬送装置２００との機能とを兼備する硬貨搬送装置２００の構成である。
【００６５】
つまり、具体的には、図３の構成と図４の〔分割搬送路構成〕とのように、図１・図２によって説明した第１実施例による上記の第１の構成において、導入路２２を搬送路２０に沿った水平方向に向け変えた端末部分２２Ａと転向面６５とを対向させて配置するとともに、底面６２Ｅ側を開口状態にして箱状、例えば上面６２Ｄと各側面、つまり、正面６２Ａ・背面６２Ｂ・側面６２Ｃとを覆って梯形の箱状に形成した上記の転向部分６０により硬貨１０の転向を行う構成、すなわち、上記の第１の構成における転向手段と、図５・図６によって説明した第４実施例による第１の参考構成において、上記の硬貨１０を搬送する搬送路２０を複数に分割した分割搬送路２０Ａによって構成するとともに、この分割搬送路２０Ａごとに上記の分割搬送路２０Ａの搬送面２５を移行する移行機構１１、例えば、プーリ１１Ａ・１１Ｂを設ける構成、すなわち、上記の第１の参考構成における分割搬送路手段と、各移行機構１１を、例えば、連動機構２３によって連動するとともに、上記の分割搬送路２０Ａのうちの１つの分割搬送路２０Ａ、例えば、搬送路２０の始端部分に配置した分割搬送路２０Ａにおける移行機構１１のみを駆動モータ３０、例えば、減速機構付きの誘導電動機によって駆動する構成、すなわち、第１の参考構成における駆動手段とを設けることにより、上記の第４の構成を構成しているものである。
【００６６】
そして、この第４の構成によれば、上記の第１の構成と同様に、硬貨１０が搬送路２０の案内壁１３Ａ・１３Ｂに立て掛ける状態になって搬送路２０Ａを詰まらせたり、硬貨１０が搬送路２０Ａから外に飛び出して回収不能になったりする事故を解消でき、また、上記の第１の参考構成の場合と同様に、長い搬送路２０による硬貨搬送装置２００を、現地で簡便な作業で組み立てることができるほか、駆動モータ３０に付随する取付構成や制御構成を１つ設けるだけで済ませられる簡便安価な硬貨搬送装置２００を提供することができる。
【００６７】
〔第８実施例〕
以下、図１〜図６・図１２により第８実施例を説明する。この第８実施例の構成が、上記の第７実施例の構成と異なる箇所は、上記の図１２の構成のようなパチンコ台島装置５００における硬貨搬送装置２００の構成に代えて、図４の〔分割搬送路構成〕のように、上記の第７実施例による硬貨搬送装置２００の構成を設けることにより、上記の第５の構成を構成しているものである。
【００６８】
なお、図４の〔分割搬送路構成〕のパチンコ台島装置５００の構成を、図１２の〔中央収納構成〕のパチンコ台島装置５００の構成に適用することによって、上記の第４実施例による硬貨搬送装置２００を設けた〔中央収納構成〕のパチンコ台島装置５００を構成し得ることは言うまでもない。
【００６９】
そして、この第５の構成によれば、上記の第１の構成と同様に、硬貨１０が搬送路２０の案内壁１３Ａ・１３Ｂに立て掛ける状態になって搬送路２０を詰まらせたり、硬貨１０が搬送路２０から外に飛び出して回収不能になったりする事故を解消でき、また、上記の第１の参考構成の場合と同様に、長い搬送路２０による硬貨搬送装置２００を、現地で簡便な作業で組み立てることができるほか、駆動モータ３０に付随する取付構成や制御構成を１つ設けるだけで済ませられる簡便安価な硬貨搬送装置２００を設けたパチンコ台島装置５００を提供することができる。
【００７０】
〔第９実施例〕
以下、図１〜図６・図９・図１５により第９実施例を説明する。この第９実施例の構成が、上記の第８実施例の構成と異なる箇所は、図３のように、上記の第７実施例による第４の構成における硬貨搬送装置２００の構成を、図１５の第５従来技術の構成によるパチンコ台島装置５００Ａを複数台直列に配置したパチンコ台島列装置１０００に、パチンコ台島装置５００Ａごとに分割して設けることにより、上記の第６の構成を構成しているものである。
【００７１】
そして、具体的には、搬送路２０の構成を、図５のように構成することによって図３の〔内限型構成〕が構成でき、また、図６のように構成することによって図３の〔突出型構成〕が構成できることについては、上記の第６実施例において述べたとおりである。
【００７２】
なお、図３の〔内限型構成〕と〔突出型構成〕とのパチンコ台島列装置１０００の構成を、図１２の〔中央収納構成〕のパチンコ台島装置５００の構成に適用することによって、上記の第７実施例による硬貨搬送装置２００を設けた〔中央収納構成〕のパチンコ台島列装置１０００を構成し得ることは言うまでもない。
【００７３】
そして、この第６の構成によれば、上記の第１の構成と同様に、硬貨１０が搬送路２０Ａの案内壁１３Ａ・１３Ｂに立て掛ける状態になって搬送路２０を詰まらせたり、硬貨１０が搬送路２０Ａから外に飛び出して回収不能になったりする事故を解消でき、また、上記の第３の参考構成の場合と同様に、各分割搬送路２０Ａをユニット化した各パチンコ台島装置５００に取付固定したものを輸送して、現地で連動機構２３と補助路２４とを組み付けるだけの簡便な作業で、搬送路長い搬送路２０による硬貨搬送装置２００を組み立てることができるほか、駆動モータ３０に付随する取付構成や制御構成を１つ設けるだけで済ませられる簡便安価な硬貨搬送装置２００を設けたパチンコ台島列装置１０００を提供することができる。
【００７４】
〔第１０実施例〕
以下、図３〜図８により第１０実施例を説明する。この第１０実施例の構成は、上記の第４実施例〜第９実施例の構成における図５・図６の連動搬送部分、すなわち、連動機構２３・補助路２４の部分を図７・図８の連動機構２３・補助路２４のように変更することによって、分割搬送路２０Ａを水平方向に配置し得るように構成したものである。なお、図７の〔内限型構成〕の図では、連動機構２３の部分を省略してあるが、実際には、図７の〔連動搬送部分構成〕における連動機構２３のような構成を設けているものである。
【００７５】
つまり、具体的には、図７・図８において、各分割搬送路２０Ａは、図７の〔内限型構成〕のように、水平方向に配置してあり、分割搬送路２０Ａの継目に当たるプーリ１１Ａとプーリ１１Ｂと間の谷間の箇所に、ローラ２４Ａによる補助路２４を設けるとともに、ローラ２４Ａの軸２４Ａ１に設けたプーリ２４Ａ２に連動機構２３のベルト２３Ｃを掛け渡すことによって、ローラ２４Ａを連動機構２３により連動回転するように構成してある。
【００７６】
そして、この連動部分の構成を、図８の〔連動搬送部分構成〕のように、搬送の流れにおける上流側の分割搬送路２０Ａのベルト１２によって搬送されてきた硬貨１０の重心Ｗｓの位置が、上流側の分割搬送路２０Ａのプーリ１１Ａの軸１１ａの軸心１１ａｘよりも僅かに手前の位置、すなわち、図８の〔連動搬送部分構成〕における軸心１１ａｘよりも僅かに左側の位置にあるときに、硬貨１０の底面側の先端１０ａがローラ２４Ａの上に来るように、硬貨１０の直径Ｄ１１の寸法と、関連する箇所の寸法、例えば、プーリ１１Ａの軸心１１ａｘとプーリ１１Ｂの軸心１１ｂｘとの間の距離Ｄ１２、上流側のベルト１２と下流側のベルト１２との間の隙間Ｄ１３、ローラ２４Ａの直径Ｄ２１などの寸法を定めてある。
【００７７】
このため、上流側のベルト１２の端部にきた硬貨１０の先端側が下方に傾かないうちに、ローラ２４Ａの上に来るので、その後に、硬貨１０の先端側が下方に傾いても、ローラ２４Ａの回転によって、下流側のベルト１２の上に送り込まれるため、硬貨１０を円滑に下流側が搬送することができ、また、仮に、硬貨１０の先端側が上流側のベルト１２とローラ２４Ａとの間に入り込んだとしても、ローラ２４Ａによって上方に掻き出されるため、同様にして、下流側に搬送することができるようにしてある。
【００７８】
そして、上記の各寸法は、例えば、距離Ｄ１２を硬貨１０の直径Ｄ１１の４／５程度、隙間Ｄ１３を硬貨１０の厚さｔ１の１／２程度、ローラ２４Ａと各ベルト１２との間の隙間Ｄ２２を硬貨１０の厚さｔ１の１／２程度、硬貨１０の底面が水平な姿勢のときの硬貨１０の底面とローラ２４Ａの上面との間の距離Ｈ２１を硬貨１０の厚さｔ１の１／３程度として、これらの寸法条件に見合うローラ２４Ａの直径Ｄ２１を選んでおり、ローラ２４Ａの直径Ｄ２１は、例えば、硬貨１０の直径Ｄ１１の０．１７〜０．１８倍程度になっている。つまり、硬貨１０を５００円硬貨とした場合には、直径Ｄ１１が約２６ｍｍ、厚さｔ１が約２ｍｍなので、距離Ｄ１２が約２１ｍｍ、直径Ｄ２１が約４．５ｍｍ程度になる。
【００７９】
また、ローラ２４Ａの外周に、例えば、硬貨１０の間の摩擦抵抗を増加するためにポリウレタン樹脂の皮膜を施し、または、図８の〔凸条付ローラ構成〕のように、ローラ２４Ａの軸心に沿った三角形状の突起２４ｙまたは矩形状の突起２４ｘなどの突起を設けることによって、補助路２４の部分における硬貨１０の搬送を向上し得るようにしてある。なお、図７の〔連動部分構成〕と図８の構成とは、図７の〔内限型構成〕の部分を図６の〔突出型構成〕と同様に変更することにより、図３・図６の〔突出型構成〕のものに変更し得ることは言うまでもない。
【００８０】
したがって、この第１０実施例の構成による連動部分を設けた硬貨搬送装置２００の構成と、こうした硬貨搬送装置２００を設けたパチンコ台島装置５００の構成、または、そうした構成をもつパチンコ台島装置５００Ａによるパチンコ台島列装置１０００の構成によれば、各分割搬送路２０Ａを水平方向に配置して構成できるほか、連動部分での硬貨１０の搬送を向上し得るようにした装置を提供することができる。
【００８１】
〔第１１実施例〕
以下、図３〜図６・図９により第１１実施例を説明する。この第１１実施例の構成は、上記の第４実施例〜第９実施例の構成における図５・図６の連動搬送部分、すなわち、連動機構２３・補助路２４の部分を図９の連動機構２３・補助路２４Ｂのような構成に変更することによって、分割搬送路２０Ａを水平方向に配置し得るように構成するとともに、各分割搬送路２０Ａの隣接間の隙間Ｄ１５を狭くして、硬貨１０が隙間Ｄ１５に落ち込むことなく搬送し得るように構成したものである。
【００８２】
つまり、具体的には、図９において、各分割搬送路２０Ａには、〔内限型構成〕のように、分割搬送路２０Ａの継目に当たる箇所に、プーリ１１Ａとプーリ１１Ｂよりも張り出した位置に小さい直径の補助プーリ２４Ｂ１・２４Ｂ２を設けて、ベルト１２を４つのプーリ１１Ａ・１１Ｂ・２４Ｂ２・２４Ｂ１に掛け渡して、ベルト１２が逆梯形状の外周に沿って移行するようにしてある。
【００８３】
そして、この隣接部分の構成を、図９の〔連動搬送部分構成〕のように、上流側の分割搬送路２０Ａのベルト１２によって搬送されてきた硬貨１０の重心Ｗｓの位置が、上流側の補助プーリ２４Ｂ１の軸の軸心２４ａ１よりも僅かに手前の位置、すなわち、図９の〔連動搬送部分構成〕における軸心２４ａ１よりも僅かに左側の位置にあるときに、硬貨１０の底面側の先端１０ａが補助プーリ２４Ｂ２の上に来るように、硬貨１０の直径Ｄ１１の寸法と、関連する箇所の寸法、例えば、補助プーリ２４Ｂ１の軸心２４ａ１と補助プーリ２４Ｂ２の軸心２４ｂ２との間の距離Ｄ１６、上流側のベルト１２と下流側のベルト１２との間の隙間Ｄ１５、補助プーリ２４Ｂ１・２４Ｂ２などの寸法を定めてある。
【００８４】
これら寸法は、隙間Ｄ１５を、例えば、硬貨１０の厚さｔ１の１／２程度に、また、軸心２４ａ１・２４ｂ２間の距離Ｄ１６を、例えば、硬貨１０の直径Ｄ１１の１／２程度の寸法にするとともに、他の箇所の寸法をそれに見合うように選択してある。なお、必要に応じて、補助プーリ２４Ｂ１・２４Ｂ２の箇所における上流側のベルト１２と下流側のベルト１２との間の窪み部分に、例えば、断面が三角形状の補助体２４Ｂ３を配置するようにしてもよい。
【００８５】
したがって、この第１１実施例の構成による連動部分を設けた硬貨搬送装置２００の構成と、こうした硬貨搬送装置２００を設けたパチンコ台島装置５００の構成、または、そうした構成をもつパチンコ台島装置５００Ａによるパチンコ台島列装置１０００の構成によれば、上記の第１０実施例の場合と同様に、各分割搬送路２０Ａを水平方向に配置して構成できるほか、連動部分での硬貨１０の搬送を向上し得るようにした装置を提供することができる。
【００８６】
〔第１２実施例〕
以下、図３〜図６・図１０により第１２実施例を説明する。この第１２実施例の構成は、上記の第４実施例〜第９実施例の構成における図６の連動搬送部分、すなわち、連動機構２３・補助路２４の部分を図１０の連動機構２３・補助路２４Ｃのような構成に変更することによって、単なるベルトの重なり部分のみで、分割搬送路２０Ａの隣接間における硬貨１０の伝送を行い得るようにしたものである。なお、この第１２実施例は、中間プーリ１１Ｃを設けずに図６と同様にプーリ１１Ａ・１１Ｂのみによる場合の構成と、中間プーリ１１Ｃを設ける場合の構成がある。
【００８７】
つまり、具体的には、図１０において、まず、中間プーリ１１Ｃを設けずに図６と同様にプーリ１１Ａ・１１Ｂのみによる場合の構成について述べると、各分割搬送路２０Ａは、プーリ１１Ａがプーリ１１Ｂの上に乗り込んだ量を大きくして、上流側のベルト１２の復り側１２ｂの部分と、下流側のベルト１２の往き側１２ａの部分とが重なった重なり部分の長さを大きくして、上流側のベルト１２から下流側のベルト１２の上に入れ込まれる硬貨１０が、仮に、逆流するような形で入れ込まれたとしても、この重なり部分でくい止められ、重なり部分の下流側のベルト１２によって確実に搬送し得るようにしたものである。
【００８８】
このため、上流側のプーリ１１Ａの軸心１１ａｘが下流側プーリ１１Ｂの軸心１１ｂｘよりも下流側に入り込む入込距離Ｄ１７は、実験的に決定することが望ましく、例えば、ベルト１２を定常速度よりも遅くした状態、例えば、定常速度の０．８倍程度にした状態で、硬貨１０が逆戻りしない程度の距離に選定しておくことにより、定常速度では、摩擦抵抗が多少減少した場合でも、確実に搬送し得るようにする。
【００８９】
次に、中間プーリ１１Ｃを設けた場合の構成について述べると、上記の構成と異なる箇所は、ベルト１２の復り側１２ｂに中間プーリ１１Ｃを配置して、ベルト１２の復り側１２ｂの後半部分を水平状態にした箇所であり、このように中間プーリ１１Ｃを設けた構成とすることによって、例えば、パチンコ台島装置５００Ａの構成の都合なとで、個々のベルト１２に対するプーリ１１Ａとプーリ１１Ｂとの間の距離を変更する必要が生じた場合に、この距離を次のようにして調整することができる。つまり、プーリ１１Ａの軸１１ａは、例えば、図６の〔連動搬送部分構成〕のように、軸受板１１ａ１・１１ａ２によって支持しているので、この軸受板１１ａ１・１１ａ２と案内壁１３Ａ・１３Ｂとの間の固定を長穴（図示せず）とねじ（図示せず）とによって固定するようにしておき、この長穴の範囲で固定位置を変更することにより、プーリ１１Ａの位置を変更することができ、この変更とともに、同様にして、中間プーリ１１Ｃの軸の支持位置をベルト１２と交差する方向に移動するように変更することにより、ベルト１２を展張させることができる。
【００９０】
したがって、この第１２実施例の構成による連動部分を設けた硬貨搬送装置２００の構成と、こうした硬貨搬送装置２００を設けたパチンコ台島装置５００の構成、または、そうした構成をもつパチンコ台島装置５００Ａによるパチンコ台島列装置１０００の構成によれば、補助路２４として、上記の図５・図６の構成ように、滑り台状の補助路２４を設けるような複雑な構成を設ける必要が無く、単に入込距離Ｄ１７を設けるのみで済むので、構成が簡便で保守が容易な装置を提供することができる。
【００９１】
〔第１３実施例〕
以下、図３〜図６・図１１により第１３実施例を説明する。この第１３実施例の構成は、上記の第４実施例〜第９実施例の構成における図６の〔突出型構成〕における補助路２４の部分を図１１の補助路２４Ｄのような構成に変更することによって、補助路２４Ｄを下流側のベルト１２の上面との間が自動的に閉じられ得るように構成したものである。なお、この第１２実施例は、中間プーリ１１Ｃを設けずに図６と同様にプーリ１１Ａ・１１Ｂのみによる場合の構成と、中間プーリ１１Ｃを設ける場合の構成がある。なお、図１１の〔連動搬送部分構成〕には、軸受板１１ａ１・１１ａ２・１１ｂ１・１１ｂ２と、案内壁１３Ａ・１３Ｂと、案内面１３Ｃとの部の図示を省略してあるが、これらの部分は図６の構成と同様にに設けられていて、プーリ１１Ｃの軸１１Ｃ１は、軸受板１１ａ１・１１ｂ２に遊び嵌めされ、回転可能に支持されている。
【００９２】
つまり、具体的には、図１１において、まず、中間プーリ１１Ｃを設けずに図６と同様にプーリ１１Ａ・１１Ｂのみによる場合の構成について述べると、補助路２４Ｄの部分は、図１１の〔連動搬送部分〕〔補助路／分解〕のように、滑り台状の部分の両脇に張り出した張出部分２４Ｄ１・２４Ｄ２に設けた穴１１ａ１１・１１ａ１２を、プーリ１１Ａの軸１１ａに遊び嵌めして保持することにより、矢印Ｅのように、補助路２４Ｄの下端側が軸１１ａを中心にして揺動し得るように構成してある。
【００９３】
このため、補助路２４Ｄは自重によって下端側が、常時、下流側のベルト１２の上面に乗せられながら、ベルト１２の上面が摺動しているように動作するので、連動搬送部分を組み上げる際に、図６の構成の場合のように補助路２４の取付位置を調整する調整作業が全く不要になる。
【００９４】
次に、中間プーリ１１Ｃを設けた場合の構成について述べると、図１１の〔連動搬送部分構成〕には、図示していないが、図６の構成の場合と同様に、軸受板１１ａ１・１１ａ２・１１ｂ１・１１ｂ２と、案内壁１３Ａ・１３Ｂと、案内面１３Ｃとが設けてあり、上記の構成と異なる箇所は、ベルト１２の復り側１２ｂに中間プーリ１１Ｃを配置して、ベルト１２の復り側１２ｂの大半部分を水平状態にした箇所であり、このように中間プーリ１１Ｃを設けた構成とすることによって、上記の第１２実施例における中間プーリ１１Ｃの場合と同様に、プーリ１１Ａの位置変更の際に、ベルト１２を展張させることができる。
【００９５】
したがって、この第１３実施例の構成による連動部分を設けた硬貨搬送装置２００の構成と、こうした硬貨搬送装置２００を設けたパチンコ台島装置５００の構成、または、そうした構成をもつパチンコ台島装置５００Ａによるパチンコ台島列装置１０００の構成によれば、連動搬送部分を組み上げる際の補助路の取付調整を不要にした構成が簡便で保守が容易な装置を提供することができる。
【００９６】
〔変形実施〕
この発明は次のように変形して実施することを含むものである。
（１）搬送路２０または搬送路２０Ａを構成するベルト１２・プーリ１１Ａ・プーリ１１Ｂによる構成を、歯形付きのベルトとプーリ、すなわち、タイミングベルトとタイミングベルト用プーリとによる構成に変更して構成する。
（２）連動機構２３を構成するベルト２３Ｃ・プーリ２３Ａ・プーリ２３Ｂによる構成を、歯形付きのベルトとプーリ、すなわち、タイミングベルトとタイミングベルト用プーリとによる構成に変更して構成する。
【００９７】
（３）連動機構２３を構成するベルト２３Ｃ・プーリ２３Ａ・プーリ２３Ｂによる構成を、軸１１ａに設けた歯車Ａと、軸１１ｂに設けた歯車Ｂとの間に、中間の歯車Ｃを設けて、歯車Ａ・歯車Ｂが同一方向に回転するするように構成した歯車機構に変更するとともに、各歯車Ａ・Ｂ・Ｃの噛み合わせのうちのいずれかの部分で、プーリ１１Ａ側とプーリ１１Ｂ側とに分割して構成する。
【００９８】
（４）補助路２４の取付を、張出部分２４ａ・２４ｂに代えて、軸１１ｂの軸受板１１ｂ１・１１ｂ２の方に張り出すように設けて、軸受板１１ｂ１・１１ｂ２に取付固定するように構成する。
【００９９】
（５）第４実施例〜第９実施例の構成において、中間の位置に配置された分割搬送路２０Ａの移行機構１１のみ、または、最始端に配置された分割搬送路２０Ａの移行機構１１のみを駆動モータ３０で駆動するように構成する。
【０１００】
（６）図７の〔連動搬送部分構成〕における連動機構２３の部分を、ベルト２３Ｃをプーリ２３Ａ・２３Ｂ間に掛け渡すように変更して構成するとともに、プーリ２４Ａ２をプーリ２３Ａ・２３Ｂの位置とはずらせた位置に設けた歯車Ａ（図示せず）に変更して、この歯車Ａをプーリ２３Ａの軸１１ａまたはプーリ２３Ｂの軸１１ｂに設けた歯車Ｂ（図示せず）と中間歯車Ｃ（図示せず）を介して噛み合わせる構成に変更し、ローラ２４Ａの外周速度をベルト１２の移行速度よりも速くするように、これらの歯車Ａ・Ｂ・Ｃの各歯数を設定することにより、連動部分における硬貨１０の搬送をさらに向上させ得るように構成する。
（７）図７・図８の構成におけるローラ２４Ａの部分を、図９の〔連動搬送部分構成〕における補助体２４Ｂ３と同様の補助体に変更して構成する。
（８）図９の構成において、補助体２４Ｂ３を設ける場合に、硬貨１０の直径Ｄ１１に対する隙間Ｄ１５・距離Ｄ１６の寸法を、図８の構成における硬貨１０の直径Ｄ１１に対する隙間Ｄ１３・距離Ｄ１２の寸法と同様の寸法に変更して構成する。
【０１０１】
【発明の効果】
この発明によれば、以上のように、導入路を垂直方向部分から水平方向に向きを代えた端末部分より硬貨を送出して、転向面に突き当てて、硬貨の速度を減速させるとともに転向させているので、硬貨が搬送路の案内壁に立て掛ける状態になって搬送路を詰まらせたり、硬貨が搬送路から外に飛び出して回収不能になったりする事故を解消した硬貨搬送装置と、その利用装置、例えば、パチンコ台島装置とパチンコ台島列装置とを提供することができる。
【０１０２】
また、搬送路を複数に分割した分割搬送路にして、長い搬送路による硬貨搬送装置を、現地で組み立てる場合にも、ユニット化した分割搬送路を輸送して、組み立てる際に連動部分を取り付けるだけの簡便な作業で長い搬送路を構成することができるほか、複数の分割搬送路を１つの分割搬送路に設けた駆動モータで駆動しているため、駆動モータに付随する取付構成や制御構成を１つ設けるだけで済ませることができる簡便安価な構成の硬貨搬送装置と、その利用装置、例えば、パチンコ台島装置とパチンコ台島列装置とを提供することができるなどの特長がある。
【図面の簡単な説明】
図面中、図１〜図１１はこの発明の実施例を、また、図１２〜図１５は従来技術を示し、各図の内容は次のとおりである。
【図１】要部構成斜視図
【図２】要部構成斜視図
【図３】全体構成正面略図
【図４】全体構成正面略図
【図５】要部構成正面・斜視図
【図６】要部構成正面・斜視図
【図７】要部構成正面・斜視図
【図８】要部構成正面・斜視図
【図９】要部構成正面略図
【図１０】要部構成正面図
【図１１】要部構成正面・斜視図
【図１２】全体構成正面略図
【図１３】要部構成斜視図
【図１４】要部構成斜視図
【図１５】全体構成斜視図
【符号の説明】
１０  硬貨
１０Ａ  硬貨
１０Ｂ  硬貨
１０Ｃ  硬貨
１０ａ  先端
１１  移動機構
１１Ａ  プーリ
１１Ｂ  プーリ
１１ａ  軸
１１ａ１  軸受板
１１ａ２  軸受板
１１ａ１１  穴
１１ａ１２  穴
１１ａｘ  軸心
１１ｂ  軸
１１ｂｘ  軸心
１２  ベルト
１２ａ  往き側
１２ｂ  復り側
１３  案内体
１３Ａ  案内壁
１３Ｂ  案内壁
１３Ｃ  案内面
２０  搬送路
２０Ｘ  突出部分
２０Ａ  分割搬送路
２１  硬貨入口
２１Ａ  硬貨判別装置
２１Ｂ  戻出口
２２  導入路
２２Ａ  端末部分
２２Ｂ  垂直方向部分
２２ａ  鋼線
２２ｂ  通路
２３  連動機構
２３Ａ  プーリ
２３Ｂ  プーリ
２３Ｃ  ベルト
２４  補助路
２４Ａ  ローラ
２４Ａ１  軸
２４Ａ２  プーリ
２４Ｂ  補助路
２４Ｂ１  補助プーリ
２４Ｂ２  補助プーリ
２４Ｂ３  補助体
２４Ｃ  補助路
２４Ｄ  補助路
２４Ｄ１  張出部分
２４Ｄ２  張出部分
２４ａ  張出部分
２４ａ１  軸心
２４ｂ  張出部分
２４ｂ２  軸心
２４ｘ  突起
２４ｙ  突起
２５  搬送面
３０  駆動モータ
３０Ａ  歯車減速機構
５０  収納箱
６０  転向部分
６１  板状体
６１Ａ  傾斜面
６２  箱状体
６２Ａ  正面（側面）
６２Ｂ  背面（側面）
６２Ｃ  側面
６２Ｄ  上面
６２Ｅ  底面
６２Ｆ  面
６５  転向面
１００  パチンコ台
１０１  金銭機構部分
２００  硬貨搬送装置
５００  パチンコ台島装置
５００Ａ  パチンコ台島装置
５０１  外側面
５０２  穴
１０００  パチンコ台島列装置
Ｂ１  幅
Ｂ２  幅
Ｄ１  長径
Ｄ２  短径
Ｄ１１  直径
Ｄ１２  距離
Ｄ１３  隙間
Ｄ１５  隙間
Ｄ１６  距離
Ｄ１７  入込距離
Ｄ２１  直径
Ｄ２２  隙間
Ｈ１  距離
Ｈ２  高さ
Ｈ２１  距離
Ｗｓ  重心
ｔ１  厚さ
【図１】
0004165918.tif 000002
【図２】
0004165918.tif 000003
【図３】
0004165918.tif 000004
【図４】
0004165918.tif 000005
【図５】
0004165918.tif 000006
【図６】
0004165918.tif 000007
【図７】
0004165918.tif 000008
【図８】
0004165918.tif 000009
【図９】
0004165918.tif 000010
【図１０】
0004165918.tif 000011
【図１１】
0004165918.tif 000012
【図１２】
0004165918.tif 000013
【図１３】
0004165918.tif 000014
【図１４】
0004165918.tif 000015
【図１５】
0004165918.tif 000016